(57)【特許請求の範囲】
【請求項１】
ブランクを有する釣竿本体が支持されるバット本体と、
当該バット本体の後端部に設けられた尻手リング機構とを備え、
当該尻手リング機構は、
切欠部が設けられた周壁を有し、上記バット本体の後端部に回動可能に外嵌された環状ケースと、
当該環状ケースに内嵌された状態で当該環状ケースと共に上記バット本体の後端部に対して回動可能に外嵌された環状係止具とを有し、
当該環状係止具は、
上記バット本体の後端部の周囲に沿って配置される一対の脚部及び当該各脚部の一端に連続して上記環状ケースの軸方向と交差する方向に延設され、上記切欠部から突出するアンカーリング部を有するバット。
【請求項２】
上記切欠部は、上記周壁の一部が上記軸方向一端側端面から当該軸方向に沿って所定長さだけ切り欠かれることにより形成されている請求項１に記載のバット。
【請求項３】
上記一対の脚部は、上記バット本体の後端部を周方向に囲繞し、当該各脚部の他端同士は所定距離だけ離反されており、
上記アンカーリング部に尻手リングが係合されている請求項１又は２に記載のバット。
【請求項４】
上記バット本体に外装リングが外嵌されており、
上記環状ケース及び上記環状係止具は、上記外装リングに対して相対的に回動自在に外嵌されている請求項１から３のいずれかに記載のバット。
【請求項５】
上記環状ケースの外周面は、上記バット本体の外周面と滑らかに連続している請求項１から４のいずれかに記載のバット。
【請求項６】
請求項１から５のいずれかに記載のバットと、
上記バット本体に支持された釣竿本体とを有するフィッシングロッド。
【発明の詳細な説明】
【技術分野】
【０００１】
この発明は、フィッシングロッド（釣竿）の構造、詳細にはフィッシングロッドに採用されるバットの構造に関するものである。
【背景技術】
【０００２】
釣人は、フィッシングロッドを使用して釣りを行うのが一般的である。釣人は、フィッシングロッドを把持し操作することにより、道糸や仕掛けを操ると共にヒットした魚を引き寄せて取り込む。
【０００３】
ところで、船や磯からの釣りでは、風、波、潮その他の要因の影響により道糸が引っ張られた結果、フィッシングロッドが落水するおそれがある。そのため、従来のフィッシングロッドは、バットに尻手リングが搭載されているものがある（特許文献１参照）。この尻手リングにロープ等が連結されることにより、フィッシングロッドが万一落水した場合であっても、釣人は、落水したフィッシングロッドを容易に回収することができる。
【０００４】
従来の尻手リングは、フィッシングロッドの尻栓等に設けられている。具体的には、尻栓に筒状のパイプが溶接（典型的にはろう付け）され、このパイプにアンカーリングが突設される。そして、このアンカーリングに尻手リングが係合される。
【先行技術文献】
【特許文献】
【０００５】
【特許文献１】特開２００９−２４０２８３号公報
【発明の概要】
【発明が解決しようとする課題】
【０００６】
しかし、従来の尻手リングは、上記パイプがろう付けされることから次のような問題があった。すなわち、上記パイプが海水等によって腐食されやすく、尻手リングがフィッシングロッドから脱落するおそれがあった。また、尻手リングをフィッシングロッドに装着する作業が容易ではなく、作業コストが上昇するという問題があった。さらに、上記アンカーリングは環状部材であるからことから、尻手リングをアンカーに係合させるために煩わしい作業が必要であった。加えて、従来の尻手リングは尻栓に固定されているから、尻手リングに連結されたロープがフィッシングロッドに絡みつきやすいという問題もあった。
【０００７】
本発明はかかる背景のもとになされたものであって、その目的は、安価で耐腐食性が高く、且つ連結されたロープ等が絡みつきにくい尻手リングを備えたバット及びこれを備えたフィッシングロッドを提供することである。
【課題を解決するための手段】
【０００８】
(1) 本発明に係るバットは、ブランクを有する釣竿本体が支持されるバット本体と、当該バット本体の後端部に設けられた尻手リング機構とを備える。当該尻手リング機構は、切欠部が設けられた周壁を有し、上記バット本体の後端部に回動可能に外嵌された環状ケースと、当該環状ケースに内嵌された状態で当該環状ケースと共に上記バット本体の後端部に対して回動可能に外嵌された環状係止具とを有する。この環状係止具は、上記バット本体の後端部の周囲に沿って配置される一対の脚部及び当該各脚部の一端に連続して上記環状ケースの軸方向と交差する方向に延設され、上記切欠部から突出するアンカーリング部を有する。
【０００９】
この発明では、バット本体に釣竿本体が連結されることによりフィッシングロッドが構成される。バット本体に尻手リング機構が搭載されているから、尻手リング機構にロープ等が連結されることにより、実釣においてフィッシングロッドが保持され、万一フィッシングロッドが落水したとしても、釣人はロープを手繰り寄せることによりフィッシングロッドを回収することができる。
【００１０】
上記尻手リング機構は、次の要領で組み立てられる。すなわち、環状ケースの内側に環状係止具が嵌め込まれる。このとき、環状係止具は、環状ケースの軸方向一端側端面から当該軸方向に沿って当該環状ケースの内側に挿入される。この環状ケースの周壁に上記切欠部が設けられているから、環状係止具のアンカーリング部が上記切欠部に進入し、当該切欠部から突出する。なお、たとえば尻手ロープは、上記切欠部から突出したアンカーリング部に連結され得る。当該環状係止具は、上記環状ケースと共にバット本体の後端部に外嵌される。この状態で、環状ケース及び環状係止具の軸方向とバット本体の軸方向とが一致し、当該環状係止具は、上記環状ケースの内側に嵌め込まれて保持されている。すなわち、環状ケース及び環状係止具は、ろう付けその他の溶接手段によりバット本体に固定されておらず、バット本体に対して軸方向の周りに回動可能である。したがって、尻手リング機構の組立作業が非常に簡単であり、上記尻手ロープが上記アンカーリング部に連結されとしても、当該尻手ロープはバット本体に絡むことが回避される。
【００１１】
(2) 上記切欠部は、上記周壁の一部が上記軸方向一端側端面から当該軸方向に沿って所定長さだけ切り欠かれることにより形成されているのが好ましい。
【００１２】
この構成では、切欠部は、上記軸方向に切り欠かれた矩形の凹部として構成され得る。したがって、上記アンカーリング部が挿通される切欠部が簡単にコスト安価に形成されるという利点がある。
【００１３】
(3) 上記一対の脚部は、上記バット本体の後端部を周方向に囲繞し、当該各脚部の他端同士は所定距離だけ離反されているのが好ましい。さらに、アンカーリング部に尻手リングが係合されているのが好ましい。
【００１４】
この構成では、上記環状ケースへの上記環状係止具の嵌め込みに先立って、当該環状係止具に尻手リングが挿通される。この環状係止具の一対の脚部の他端同士は所定の距離だけ隔てられているから、当該他端間の隙間から尻手リングが簡単に挿通される。尻手リングが挿通された環状係止具は、前述のように上記環状ケースと共にバット本体の後端部に外嵌される。また、上記一対の脚部が上記バット本体の後端部を囲繞するから、上記環状係止具がより安定して上記バット本体に取り付けられるという利点もある。特に尻手リングが設けられているので、尻手ロープが尻手リング機構に簡単に連結される。
【００１５】
(4) 上記バット本体に外装リングが外嵌されていてもよい。この場合、上記環状ケース及び上記環状係止具は、上記外装リングに対して相対的に回動自在に外嵌される。
【００１６】
この構成では、外装リングに対して環状ケース及び環状係止具が装着されるから、環状ケース及び環状係止具をバット本体に組み付ける作業がきわめて簡単になる。
【００１７】
(5) 上記環状ケースの外周面は、上記バット本体の外周面と滑らかに連続しているのが好ましい。
【００１８】
この構成では、環状ケースの外周面とバット本体の外周面がいわゆる面一状態となるので、上記ロープが環状ケースの外周面とバット本体の外周面との境界に引っ掛かることがなく、バット本体へのロープの絡みつきが一層回避される。しかも、バット本体の外観が優れたものとなる。
【００１９】
(6) 上記バット本体にブランクを有する釣竿本体が支持されることによってフィッシングロッドが構成され得る。
【発明の効果】
【００２０】
この発明によれば、尻手リング機構は、従来のようなろう付けその他の溶接手段を採用せずに簡単にバット本体に組み付けられるので、バット及びこれを採用したフィッシングロッドが安価に製造される。しかも、尻手リング機構は、バット本体に対して回転するから、環状係止具に連結された尻手ロープがバットやフィッシングロッドに絡むことがなく、フィッシングロッドが落水した場合であっても、迅速に回収することができる。
【図面の簡単な説明】
【００２１】
【図１】図１は、本発明の一実施形態に係るフィッシングロッドの正面図である。
【図２】図２は、本発明の一実施形態に係るバットの断面図である。
【図３】図３は、図２における要部拡大図である。
【図４】図４は、ケースの構造を示す図であって（ａ）は平面図、（ｂ）は正面図である。
【図５】図５は、図４におけるV−V断面図である。
【図６】図６は、係止具の構造を示す図であって（ａ）は平面図、（ｂ）は正面図である。
【図７】図７は、図６におけるVII−VII断面図である。
【発明を実施するための形態】
【００２２】
以下、本発明の好ましい実施形態が、適宜図面が参照されながら説明される。
【００２３】
［フィッシングロッドの概略構成と特徴点］
【００２４】
図１は、本発明の一実施形態に係るフィッシングロッド３０の外観斜視図である。
【００２５】
このフィッシングロッド３０は、たとえば船釣りの際に使用されるものであって、バット３１と釣竿本体３２とを備えている。バット３１は、リールシート３９を備えている。このリールシート３９は、図示されていない釣用リールを保持すると共に、釣竿本体３２を後述のように支持することができるようになっている。本実施形態に係るフィッシングロッド３０の特徴とするところは、バット３１の構造にあり、具体的には、バット３１が後述の尻手リング機構４０備えている点である。
【００２６】
［釣竿本体］
【００２７】
釣竿本体３２は、細長円筒状に形成されたブランク３４と、ブランク３４の後端部３５に装着されたフェルール３６と、フェルール３６をバット３１に固定するためのナット３７と、ブランク３４に設けられたフロントグリップ３８とを有する。本実施形態では、ブランクは単一の部材である。したがって、釣竿本体３２はいわゆるワンピースタイプであって、長手方向の所定の位置にラインガイド（不図示）が固定されている。もっとも、ブランク３４は、複数の部材が所要の継手構造を介して連結されることにより構成されていてもよい。なお、ブランク３４は典型的には炭素繊維強化樹脂から構成され、いわゆるプリプレグがマンドレルに巻回され焼成される。
【００２８】
［バット］
【００２９】
図２は、バッド３１の断面図である。
【００３０】
図１及び図２が示すように、バット３１は、バット本体６０と、バット本体６０に設けられたリールシート３９及び尻手リング機構４０とを有する。図１が示すように、バット３１は釣竿本体３２をいわゆる片持ち状に支持する。具体的には、釣竿本体３２に設けられたフェルール３６がバット本体６０に対して軸方向４１に沿って挿入される。この「軸方向」とは、釣竿本体３２の軸方向であり、バット３１の軸方向である。そして、ナット３７がリールシート３９に螺合し締め付けられることによって、釣竿本体３２がバット３１に固定される。なお、本実施形態にかかるフィッシングロッド３０は、バット３１と釣竿本体３２とが別部品として構成され、釣竿本体３２がバット３１に着脱自在となっているが、釣竿本体３２の後端部に連続してバット３１が形成されていてもよい。
【００３１】
［バット本体］
【００３２】
図２が示すように、バット本体６０は、メインパイプ６２と、第１グリップ６３及び第２グリップ６４とを備えている。
【００３３】
メインパイプ６２は、樹脂又は金属からなり、円筒状に形成されている。典型的には、メインパイプ６２は、上記ブランクと同様に炭素繊維強化樹脂から構成され、いわゆるプリプレグがマンドレルに巻回され焼成される。本実施形態では、メインパイプ６２は、前パイプ６５と後パイプ６６とに分割されており、前パイプ６５の後端部に係合ピン６７が配設されている。この係合ピン６７は、上記フェルール３６（図１参照）に設けられた溝と係合し、バット本体６０に対して釣竿本体３２を位置決めする。
【００３４】
第１グリップ６３は、メイングリップ６８とサブグリップ６９とを有する。これらは円筒状に形成されており、金属、樹脂、ゴム等から構成され得る。本実施形態では、金属から構成されている。メイングリップ６８及びサブグリップ６９は、円筒状のスリーブ７０を介して後パイプ６６に外嵌されている。このスリーブ７０も金属又は樹脂等から構成され得る。第１グリップ６３の外径は、釣人が握りやすい寸法に設定されている。本実施形態では、第１グリップ６３がメイングリップ６８とサブグリップ６９とに分割されているが、両者が一体的に形成されていてもよい。また、本実施形態では、メイングリップ６８の後端部に化粧リング７１が配設されている。この化粧リング７１も円筒状に形成されており、金属又は樹脂から構成され得る。化粧リング７１は、上記スリーブ７０とメイングリップ６８との隙間に挿通されており、メイングリップ６８の後端部を装飾する。もっとも、化粧リング７１及びスリーブ７０が省略されてもよい。
【００３５】
第２グリップ６４は、第１グリップ６３の上記軸方向４１の後端側（図中右側）に配置されている。本実施形態では、第２グリップ６４は、第１グリップ６３とは異なる別の部材として構成され、両者が互いに離反している。したがって、後パイプ６６の一部は、第１グリップ６３と第２グリップ６４との間で露出している。もっとも、第２グリップ６４が第１グリップ６３と連続して一体的に形成されていてもよい。第２グリップ６４は、外装リング７２と尻栓７３とを有する。外装リング７２は円筒状に形成されている。外装リング７２の外径は、上記軸方向４１の後端側（図中右側）に向かって漸次大きくなっている。
【００３６】
外装リング７２は、スリーブ７４を介して後パイプ６６の後端部に外嵌されている。このスリーブ７４は円筒状に形成されており、金属又は樹脂から構成され得る。本実施形態では、外装リング７２の先端部にも化粧リング６１が配設されている。この化粧リング６１も上記化粧リング７１と同様に円筒状に形成されており、金属又は樹脂から構成され得る。化粧リング６１は、上記スリーブ７４と外装リング７２との隙間に挿通されており、外装リング７２の先端部を装飾すると共に、後述のようにケース７５及び係止具７６の位置決めを行う。
【００３７】
尻栓７３は、典型的にはゴム又は樹脂からなり、後パイプ６６の後端に被せられて外装リング７２の後端に固定されている。
【００３８】
［尻手リング機構］
【００３９】
図３は第２グリップ６４の要部拡大図であって、尻手リング機構４０の構造を詳細に示している。
【００４０】
尻手リング機構４０は、バット本体６０の後端部、具体的には第２グリップ６４に設けられている。尻手リング機構４０は、ケース７５（特許請求の範囲に記載された「環状ケース」に相当）と、係止具７６（特許請求の範囲に記載された「環状係止具」に相当）とを備えている。本実施形態では、係止具７６に尻手リング７７が設けられている。もっとも、この尻手リング７７は省略されてもよい。
【００４１】
図４は、ケース７５の構造を示す図であって（ａ）は平面図、（ｂ）は正面図である。図５は、図４におけるＶ−Ｖ断面図である。
【００４２】
図３ないし図５が示すように、ケース７５は円環状に形成されている。ケース７５は、図３が示すように外装リング７２の先端に嵌め込まれている。本実施形態では、外装リング７２の先端部が縮径されており、段部８４が形成されている。そして、この段部８４がケース７５の座部を構成しており、ケース７５は、段部８４に外嵌されている。
【００４３】
ケース７５の内壁面に段部８１が形成されている。すなわち、ケース７５の内壁は、大径部８２及び小径部８３を有し、これらが上記軸方向４１に沿って並設されている。なお、上記軸方向４１は、ケース７５の軸方向と一致している。ケース７５の小径部８３の内径は、外装リング７２の先端部の外径（すなわち縮径された段部８４の外径）に対応しており、ケース７５は、外装リング７２に対して回動可能となっている。また、ケース７５の大径部８２は、後に詳述される係止具７６が保持される座部を構成している。
【００４４】
図４及び図５が示すように、ケース７５の周壁７８の一部に切欠凹部７９（特許請求の範囲に記載された「切欠部」に相当）が形成されている。この切欠凹部７９は、ケース７５の軸方向４１の前側の端面８０（特許請求の範囲に記載された「一端側端面」に相当）から軸方向４１に沿って所定長さＬだけ切り込まれている。なお、この切欠凹部７９は矩形状に形成されており、幅寸法Ｄはケース７５の外径の２０％〜３０％程度に設定されている。
【００４５】
図６は、係止具７６の構造を示す図であって（ａ）は平面図、（ｂ）は正面図である。図７は、図６におけるVII−VII断面図である。
【００４６】
図３、図６及び図７が示すように、係止具７６は、全体として略円環状に形成されている。係止具７６は、金属又は樹脂から構成され得るが、本実施形態では、金属製の細長帯状部材が湾曲されることにより係止具７６が成形されている。係止具７６は、一対の脚部８６、８７と、これらの間に配設されたアンカーリング部８８とを有し、脚部８６、８７及びアンカーリング部８８は一体的に形成されている。
【００４７】
アンカーリング部８８は、図６（ｂ）が示すようにＵ字状に形成されており、脚部８６、８７のそれぞれの一端８９、９０に連続している。脚部８６、８７は、軸方向４１を基準として左右対称に配置されている。脚部８６、８７は、それぞれ円弧状に湾曲形成されており、脚部８６、８７の内壁面によって仮想円が区画される。この仮想円の内径ｄは、外装リング７２の先端部の外径（すなわち縮径された段部８４の外径：図３参照）に対応している。このため、脚部８６、８７は、外装リング７２の周囲に沿って配置されており、係止具７６は、ケース７５と共に外装リング７２に対して回動可能となっている。
【００４８】
脚部８６、８７の他端９１、９２は所定の距離だけ離反しており、両者間に隙間８５が形成されている。この隙間８５の寸法は特に限定されないが、後述の尻手リング７７が容易に挿通されるものであればよい。また、アンカーリング部８８は、同図が示すように軸方向４１と交差する方向に突出している。アンカーリング部８８の湾曲部９３の内径は、尻手リング７７が容易に進入し係合することができるように設定されている。
【００４９】
図２及び図３が示すように、尻手リング７７は円環状に形成されている。この尻手リング７７は、金属又は樹脂から構成され得る。尻手リング７７は、上記係止具７６に挿通され、アンカーリング部８８に保持される。尻手リング７７の内径は、尻手ロープ等が挿通され得るように設定されている。尻手リング７７の取り付けその他尻手リング機構４０の組付作用については後述される。
【００５０】
［リールシート］
【００５１】
図１及び図２が示すように、リールシート３９は、リールシート本体４５と、可動フード４９と、ナット５０及びロックナット５１とを備えている。このリールシート３９は、リールシート本体４５と可動フード４９とによって釣用リールの脚をホールドすることができると共に、釣竿本体３２のフェルール３６を確実に保持して釣竿本体３２をバット３１に強固に固定する。
【００５２】
リールシート本体４５は、円筒状に形成されており、金属又は樹脂等から構成されているリールシート本体４５の外周面の一部によってシート面５２が形成されている。このシート面５２に釣用リールの脚が安定的に載置される。リールシート本体４５の外周面に雄ねじ５４が形成されている。上記ナット３７、ナット５０及びロックナット５１は、この雄ねじ５４に螺合するようになっている。
【００５３】
リールシート本体４５の軸方向４１の後端側に固定フード４８が設けられている。この固定フード４８も金属からなり、本実施形態では、リールシート本体４５と一体的に形成されている。固定フード４８はリング状に形成されており、内部に脚収容凹部が設けられている。この脚収容凹部に釣用リールの脚の一方側が収容され、保持される。また、リールシート本体４５の他端側に可動フード４９が設けられている。この可動フード４９も金属からなる。
【００５４】
可動フード４９も固定フード４８と同様にリング状に形成されており、内部に脚収容部が設けられている。可動フード４９は、リールシート本体４５と嵌合しており、軸方向４１に沿ってスライドすることが可能である。リールシート本体４５に釣用リールが載置された状態で可動フード４９が固定フード４８側へスライドされることにより、可動フード４９及び固定フード４８に設けられた脚収容凹部に釣用リールの脚が収容され、保持される。
【００５５】
ナット５０は、可動フード４９と並んで設けられている。前述のように、ナット５０は、リールシート本体４５の雄ねじ５４に螺合している。ナット５０が締め付けられると当該ナット５０が可動フード４９の端面を押し、可動フード４９は軸方向４１に沿って固定フード４８側にスライドする。その結果、釣用リールの脚は、固定フード４８及び可動フード４９によって挟持され、釣用リールは、リールシート本体４５上に固定される。そして、ロックナット５１は、上記雄ねじ５４に螺合しナット５０に並設されている。ロックナット５１が締め付けられることにより、ナット５０が固定される。
【００５６】
［フィッシングロッドの使用態様］
【００５７】
実釣に先だってバット３１に釣竿本体３２が装着される。具体的には、バット本体６０に釣竿本体３２のフェルール３６が挿入され、ナット３７がバット３１のリールシート本体４５の雄ねじ５４に螺合され、ねじ込まれる。これにより、バット３１に釣竿本体３２が固定され、フィッシングロッド３０が組み立てられる。このフィッシングロッド３０では、バット本体６０に尻手リング機構４０が搭載されているから、尻手リング機構４０に尻手ロープ等が連結されることにより、実釣において万一フィッシングロッド３０が落水したとしても、釣人はロープを手繰り寄せることによりフィッシングロッド３０を回収することができる。
【００５８】
バット３１に尻手リング機構４０が設けられているが、この尻手リング機構４０は、次の要領で組み立てられる。まず、係止具７６に尻手リング７７が挿通される。具体的には、図３及び図６が示すように、円環状の尻手リング７７が係止具７６の隙間８５から挿通され、脚部８６（８７）を通過してアンカーリング部８８に達する。この状態で、尻手リング７７はアンカーリング部８８に係合するので、尻手リング７７をアンカーリング部８８に係合させる作業がきわめて簡単である。
【００５９】
次に、前述のように尻手リング７７が装着された係止具７６がケース７５の内側に嵌め込まれる。具体的には、係止具７６は、ケース７５の端面８０（図４参照）から軸方向４１に沿ってケース７５の内側に挿入される。このとき、ケース７５に切欠凹部７９（図４参照）が設けられているから、係止具７６のアンカーリング部８８が切欠凹部７９に進入する。これにより、図３が示すように、アンカーリング部８８は、切欠凹部７９から突出する。
【００６０】
前述のように係止具７６が内嵌されたケース７５は、係止具７６と共にバット本体６０の後端部に嵌め込まれる。係止具７６及びケース７５のバット本体６０への嵌合に先だって、バット本体６０の後パイプ６６にスリーブ７４が嵌め込まれ、さらに外装リング７２がスリーブ７４に外嵌される。そして、このように後パイプ６６に外装リング７２が取り付けられた状態で、図３が示すように、ケース７５及び係止具７６が外装リング７２の先端部に形成された段部８４に外嵌される。このとき、ケース７５及び係止具７６は、ケース７５の他端側の端面９３、すなわち軸方向４１の後側の端面９３（図４及び図５参照）から外装リング７２に嵌め込まれる。この状態で、係止具７６の脚部８６、８７は、外装リング７２、すなわちバット本体６０の後端部を周方向に囲繞し、係止具７６は、ケース７５と共に外装リング７２に対して回動可能となることは前述のとおりである。
【００６１】
本実施形態では、前述のように後パイプ６６に化粧リング６１が装着される。図３が示すように、この化粧リング６１は、後パイプ６６と外装リング７２との間に挿入される。これにより、外装リング７２の先端部が装飾される。また、化粧リング６１は鍔９４を備えており、当該化粧リング６１が後パイプ６６に装着されることによって鍔９４がケース７５の端面８０に当接する。これにより、ケース７５及び係止具７６が外装リング７２に対して、すなわちバット本体６０の後端部に位置決めされる。
【００６２】
本実施形態に係る尻手リング機構４０では、ケース７５及び係止具７６のバット本体６０への装着作業において、従来のようなろう付けその他の溶接手段が採用されることはなく、係止具７６は、化粧リング６１とケース７５との間に挟み込まれて、軸方向４１の周りに回動可能となる。したがって、尻手リング機構４０が簡単且つ安価にバット本体６０に組み付けられ、その結果、バット３１及びフィッシングロッド３０の製造コストが削減される。しかも、海水等に対する耐腐食性が向上する。また、ケース７５及び係止具７６がバット本体６０に固定されておらず、バット本体６０に対して回動可能であるから、尻手リング７７に尻手ロープ等が連結された場合であっても、実釣において当該尻手ロープがバット３１やフィッシングロッド３０に絡むことが防止される。さらに、係止具７６の脚部８６、８７間に隙間８５（図６参照）が設けられているから、尻手リング７７の取付作業が簡単であり、その結果尻手リング機構４０の装着作業が一層簡単になる。
【００６３】
［変形例］
【００６４】
本実施形態では、バット本体６０に外装リング７２及びスリーブ７４が装着されているが（図３参照）、これらが省略されて尻手リング機構４０が後パイプ６６に直接に取り付けられていてもよい。
【００６５】
また、図３が示すように、本実施形態では、尻手リング機構４０のケース７５が外装リング７２に外嵌されているが、ケース７５の外径が外装リング７２の外径に対応していてもよい。すなわち、ケース７５の外周面９５が外装リング７２の外周面９６と滑らかに連続し、いわゆる面一状態となっていてもよい。そのような場合、上記ロープ等がケース７５と外装リング７２との境界に引っ掛かることが防止されるので、バット本体６０へのロープ等の絡みつきが一層防止される。しかも、バット本体６０の外観も優れたものとなる。
【００６６】
さらに、本実施形態では、尻手リング７７が設けられているが、尻手リング７７が省略されてもよい。その場合、尻手ロープ等は、係止具７６のアンカーリング部８８に直接連携され得る。
【００６７】
加えて、本実施形態では、上記係止具７６の脚部８６と脚部８７との間に隙間８５が設けられているが、この隙間８５が省略されてもよい。すなわち、脚部８６、８７の他端９１、９２同士が当接していてもよい。その場合、作業者は脚部８６、８７を弾性変形させて離反させ、尻手リング７７を挿入することができる。
【００６８】
また、上記脚部８６、８７の長さが極端に短く設定されてもよい。その場合、脚部８６、８７は、化粧リング６１の周面に沿って配置され、上記アンカーリング部８８が上記ケース７５の切欠凹部７９に嵌め込まれる。この場合であっても、アンカーリング部８８が上記ケース７５から突出した状態で、当該係止具７６が化粧リング６１とケース７５との間に挟み込まれて保持される。
【００６９】
本実施形態では、ケース７５に上記切欠凹部７９が設けられており、この切欠凹部７９の形状は矩形状を呈しているが、切欠凹部７９の形状はこれに限定されるものではない。前述のように、係止具７６の脚８６、８７が上記化粧リング６１とケース７５との間に挟み込まれて保持されるので、上記切欠凹部７９は、上記アンカーリング部８８が挿通可能な形状であればよい。したがって、切欠凹部７９に代えて単なる孔がケース７５の周壁に設けられていてもよい。
【符号の説明】
【００７０】
３０・・・フィッシングロッド
３１・・・バット
３２・・・釣竿本体
３４・・・ブランク
３５・・・後端部
４０・・・尻手リング機構
４１・・・軸方向
６０・・・バット本体
６１・・・化粧リング
６２・・・メインパイプ
６３・・・第１グリップ
６４・・・第２グリップ
６５・・・前パイプ
６６・・・後パイプ
７２・・・外装リング
７３・・・尻栓  
７４・・・スリーブ
７５・・・ケース
７６・・・係止具
７７・・・尻手リング  
７８・・・周壁  
７９・・・切欠凹部
８０・・・端面
８１・・・段部
８２・・・大径部
８３・・・小径部
８４・・・段部
８５・・・隙間
８６・・・脚部
８７・・・脚部
８８・・・アンカーリング部
８９・・・一端
９０・・・一端
９１・・・他端
９２・・・他端
９５・・・外周面  
９６・・・外周面
【図１】
0005489959.tif 000002
【図２】
0005489959.tif 000003
【図３】
0005489959.tif 000004
【図４】
0005489959.tif 000005
【図５】
0005489959.tif 000006
【図６】
0005489959.tif 000007
【図７】
0005489959.tif 000008